(57)【特許請求の範囲】
【請求項１】
据置型と携帯型とで操作性の共通化を図ることができる試験装置を提供するために、
試験対象である電子機器（７）に対して実施する試験の少なくとも測定項目及び測定条件を含む測定情報の操作入力を受け付ける操作入力手段（１１）と、
所定の情報を表示する表示手段（１２）と、
自己の製品種別が据置型及び携帯型のいずれであるかを判定する製品種別判定手段（４）と、
前記製品種別判定手段の判定結果に基づいて前記表示手段の解像度を設定する解像度設定手段（２１）と、
を備え、
前記表示手段は、
前記製品種別判定手段が前記携帯型と判定したことを条件として前記解像度設定手段によって垂直方向の解像度が第１の解像度に設定され、前記第１の解像度で前記測定情報を表示するものであり、
前記製品種別判定手段が前記据置型と判定したことを条件として前記解像度設定手段によって垂直方向の解像度が前記第１の解像度よりも高い第２の解像度に設定され、前記第２の解像度で前記測定情報を表示する測定情報表示領域（１２ｂ）と、前記測定情報に関連付けられた追加情報を表示する追加情報表示領域（１２ｃ）と、を有し、
前記第１及び前記第２の解像度で表示される前記測定情報は、前記測定条件を設定するための画面である同一の試験信号設定画面を含むことを特徴とする試験装置。
【請求項２】
前記表示手段は、前記測定情報に関連付けられたアプリケーションの実行処理を制御するアイコン（５３）を前記追加情報表示領域に表示するものであることを特徴とする請求項１に記載の試験装置。
【請求項３】
据置型と携帯型とで操作性の共通化を図ることができる試験装置を提供するために、
試験対象である少なくとも１つの電子機器（７）に対して実施する試験の少なくとも測定項目及び測定条件を含む測定情報の操作入力を受け付ける操作入力手段（１１）と、
所定の情報を表示する表示手段（１２）と、
自己の製品種別が据置型及び携帯型のいずれであるかを判定する製品種別判定手段（４）と、
前記製品種別判定手段の判定結果に基づいて前記表示手段の解像度を設定する解像度設定手段（２１）と、
を備え、
前記据置型の試験装置は、前記携帯型の試験装置よりも多くの前記電子機器が接続可能な入出力部（３４）を有し、
前記表示手段は、
前記製品種別判定手段が前記携帯型と判定したことを条件として前記解像度設定手段によって垂直方向の解像度が第１の解像度に設定され、前記第１の解像度で前記測定情報を表示するものであり、
前記製品種別判定手段が前記据置型と判定したことを条件として前記解像度設定手段によって垂直方向の解像度が前記第１の解像度よりも高い第２の解像度に設定され、前記第２の解像度で前記測定情報を表示する測定情報表示領域（１２ｂ）と、前記測定情報に関連付けられた追加情報を表示する追加情報表示領域（１２ｃ）と、を有し前記測定情報に関連付けられたアプリケーションの実行処理を制御するアイコン（５３）を前記追加情報表示領域に表示するものであって、前記アプリケーションの実行処理の進捗度を示す進捗度表示部（５３ａ）を前記アイコン内に有し複数の前記電子機器の前記アプリケーションの実行処理の進捗度を一括して示すことが可能であることを特徴とする試験装置。
【請求項４】
据置型と携帯型とで操作性の共通化を図ることができる試験方法を提供するために、
試験対象である電子機器（７）に対して実施する試験の少なくとも測定項目及び測定条件を含む測定情報の操作入力を受け付ける操作ステップ（Ｓ１９）と、
所定の情報を表示手段（１２）に表示する表示ステップ（Ｓ２１）と、
自己の製品種別が据置型及び携帯型のいずれであるかを判定する製品種別判定ステップ（Ｓ１２）と、
前記製品種別判定ステップにおける判定結果に基づいて前記表示手段の解像度を設定する解像度設定ステップ（Ｓ１３、Ｓ１６）と、
を含み、
前記表示手段は、
前記製品種別判定ステップで前記携帯型と判定されたことを条件として前記解像度設定ステップで垂直方向の解像度が第１の解像度に設定され、前記第１の解像度で前記測定情報を表示し、
前記製品種別判定ステップで前記据置型と判定されたことを条件として前記解像度設定ステップで垂直方向の解像度が前記第１の解像度よりも高い第２の解像度に設定され、前記第２の解像度で前記測定情報を表示する測定情報表示領域（１２ｂ）と、前記測定情報に関連付けられた追加情報を表示する追加情報表示領域（１２ｃ）と、を表示し、
前記第１及び前記第２の解像度で表示される前記測定情報は、前記測定条件を設定するための画面である同一の試験信号設定画面を含むことを特徴とする試験方法。
【発明の詳細な説明】
【技術分野】
【０００１】
本発明は、電子機器を試験する試験装置及び試験方法に関する。
【背景技術】
【０００２】
従来、この種の試験装置としては、試験の各項目や測定条件を設定する試験システムの測定情報設定装置が知られている（例えば、特許文献１参照）。
【０００３】
特許文献１記載のものは、測定項目及び測定条件を含む測定情報を編集するための編集作業画面を表示する表示器を備えている。この表示器は、編集作業画面の左側領域に、試験システムの試験機、物理ＩＦモジュール及びポートのツリー構造からなる試験システム構造を表示し、測定作業者が画面上でマウスをクリック操作したポートに設定された測定情報を編集作業画面の右側領域に表示するようになっている。
【０００４】
この構成により、特許文献１記載のものは、ポート単位で測定情報を指定することにより、簡単に設定内容を変更できる。
【先行技術文献】
【特許文献】
【０００５】
【特許文献１】特許第３５３９９４２号公報
【発明の概要】
【発明が解決しようとする課題】
【０００６】
ところで、例えばネットワーク機器の保守や修理を行う技術者は、社内では据置型の試験装置を使用し、外出先では携帯型の試験装置を使用する。そのため、試験装置の分野では、据置型と携帯型の操作性の共通化が求められている。
【０００７】
しかしながら、特許文献１記載のものでは、据置型と携帯型の操作性の共通化が図れないという課題があった。
【０００８】
具体的には、特許文献１記載のものは、編集作業画面の左側領域に試験システム構造を表示し、編集作業画面の右側領域に測定情報を表示する構成となっているため、比較的広い画面で画面解像度が高い据置型では問題なく表示されて画面操作ができるが、小型化が図られた携帯型では、据置型よりも画面が狭く操作性が悪くなってしまうので試験システム構造と測定情報とを別々の画面に表示する必要がある。そのため、特許文献１記載のものは、据置型と携帯型とで画面操作が異なってしまうので、操作性の共通化が図れないという課題があった。
【０００９】
本発明は、従来の課題を解決するためになされたものであり、据置型と携帯型とで操作性の共通化を図ることができる試験装置及び試験方法を提供することを目的とする。
【課題を解決するための手段】
【００１０】
本発明の請求項１に係る試験装置は、据置型と携帯型とで操作性の共通化を図ることができる試験装置を提供するために、試験対象である電子機器（７）に対して実施する試験の少なくとも測定項目及び測定条件を含む測定情報の操作入力を受け付ける操作入力手段（１１）と、所定の情報を表示する表示手段（１２）と、自己の製品種別が据置型及び携帯型のいずれであるかを判定する製品種別判定手段（４）と、前記製品種別判定手段の判定結果に基づいて前記表示手段の解像度を設定する解像度設定手段（２１）と、を備え、前記表示手段は、前記製品種別判定手段が前記携帯型と判定したことを条件として前記解像度設定手段によって垂直方向の解像度が第１の解像度に設定され、前記第１の解像度で前記測定情報を表示するものであり、前記製品種別判定手段が前記据置型と判定したことを条件として前記解像度設定手段によって垂直方向の解像度が前記第１の解像度よりも高い第２の解像度に設定され、前記第２の解像度で前記測定情報を表示する測定情報表示領域（１２ｂ）と、前記測定情報に関連付けられた追加情報を表示する追加情報表示領域（１２ｃ）と、を有し、前記第１及び前記第２の解像度で表示される前記測定情報は、前記測定条件を設定するための画面である同一の試験信号設定画面を含む構成を有している。
【００１１】
この構成により、本発明の請求項１に係る試験装置は、据置型よりも低機能な携帯型ではその表示手段に測定情報を表示し、高機能な据置型では、測定情報を表示する測定情報表示領域と追加情報を表示する追加情報表示領域とを有するので、据置型と携帯型とで同様な表示形態で測定情報を表示手段に表示することができる。その結果、試験者は据置型及び携帯型のいずれであっても同様な操作で測定情報の操作入力を行うことができる。したがって、本発明の請求項１に係る試験装置は、据置型と携帯型とで操作性の共通化を図ることができる。
【００１２】
本発明の請求項２に係る試験装置は、前記表示手段は、前記測定情報に関連付けられたアプリケーションの実行処理を制御するアイコン（５３）を前記追加情報表示領域に表示するものである構成を有している。
【００１３】
この構成により、本発明の請求項２に係る試験装置は、アイコンを追加情報表示領域に表示することにより、現在実行中のアプリケーションを試験者に提示することができる。
【００１４】
本発明の請求項３に係る試験装置は、据置型と携帯型とで操作性の共通化を図ることができる試験装置を提供するために、試験対象である少なくとも１つの電子機器（７）に対して実施する試験の少なくとも測定項目及び測定条件を含む測定情報の操作入力を受け付ける操作入力手段（１１）と、所定の情報を表示する表示手段（１２）と、自己の製品種別が据置型及び携帯型のいずれであるかを判定する製品種別判定手段（４）と、前記製品種別判定手段の判定結果に基づいて前記表示手段の解像度を設定する解像度設定手段（２１）と、を備え、前記据置型の試験装置は、前記携帯型の試験装置よりも多くの前記電子機器が接続可能な入出力部（３４）を有し、前記表示手段は、前記製品種別判定手段が前記携帯型と判定したことを条件として前記解像度設定手段によって垂直方向の解像度が第１の解像度に設定され、前記第１の解像度で前記測定情報を表示するものであり、前記製品種別判定手段が前記据置型と判定したことを条件として前記解像度設定手段によって垂直方向の解像度が前記第１の解像度よりも高い第２の解像度に設定され、前記第２の解像度で前記測定情報を表示する測定情報表示領域（１２ｂ）と、前記測定情報に関連付けられた追加情報を表示する追加情報表示領域（１２ｃ）と、を有し前記測定情報に関連付けられたアプリケーションの実行処理を制御するアイコン（５３）を前記追加情報表示領域に表示するものであって、前記アプリケーションの実行処理の進捗度を示す進捗度表示部（５３ａ）を前記アイコン内に有し複数の前記電子機器の前記アプリケーションの実行処理の進捗度を一括して示すことが可能である構成を有している。
【００１５】
この構成により、本発明の請求項３に係る試験装置は、アプリケーションの実行処理の進捗度を進捗度表示部により試験者に提示すことができる。
【００１６】
本発明の請求項４に係る試験方法は、据置型と携帯型とで操作性の共通化を図ることができる試験方法を提供するために、試験対象である電子機器（７）に対して実施する試験の少なくとも測定項目及び測定条件を含む測定情報の操作入力を受け付ける操作ステップ（Ｓ１９）と、所定の情報を表示手段（１２）に表示する表示ステップ（Ｓ２１）と、自己の製品種別が据置型及び携帯型のいずれであるかを判定する製品種別判定ステップ（Ｓ１２）と、前記製品種別判定ステップにおける判定結果に基づいて前記表示手段の解像度を設定する解像度設定ステップ（Ｓ１３、Ｓ１６）と、を含み、前記表示手段は、前記製品種別判定ステップで前記携帯型と判定されたことを条件として前記解像度設定ステップで垂直方向の解像度が第１の解像度に設定され、前記第１の解像度で前記測定情報を表示し、前記製品種別判定ステップで前記据置型と判定されたことを条件として前記解像度設定ステップで垂直方向の解像度が前記第１の解像度よりも高い第２の解像度に設定され、前記第２の解像度で前記測定情報を表示する測定情報表示領域（１２ｂ）と、前記測定情報に関連付けられた追加情報を表示する追加情報表示領域（１２ｃ）と、を表示し、前記第１及び前記第２の解像度で表示される前記測定情報は、前記測定条件を設定するための画面である同一の試験信号設定画面を含む構成を有している。
【００１７】
この構成により、本発明の請求項４に係る試験方法は、据置型よりも低機能な携帯型ではその表示ステップで測定情報を表示し、高機能な据置型では、測定情報を表示する測定情報表示領域と、追加情報を表示する追加情報表示領域と、を表示するので、据置型と携帯型とで同様な表示形態で測定情報を表示することができる。その結果、試験者は据置型及び携帯型のいずれであっても同様な操作で測定情報の操作入力を行うことができる。したがって、本発明の請求項４に係る試験方法は、据置型と携帯型とで操作性の共通化を図ることができる。
【発明の効果】
【００１８】
本発明は、据置型と携帯型とで操作性の共通化を図ることができるという効果を有する試験装置及び試験方法を提供することができるものである。
【図面の簡単な説明】
【００１９】
【図１】本発明の一実施形態における据置型のネットワーク試験装置を模式的に示す外観図である。
【図２】本発明の一実施形態における携帯型のネットワーク試験装置を模式的に示す外観図である。
【図３】本発明の一実施形態における据置型のネットワーク試験装置のブロック構成図である。
【図４】本発明の一実施形態における据置型のネットワーク試験装置の画面解像度の説明図である。
【図５】本発明の一実施形態における据置型のネットワーク試験装置のアプリケーション選択画面の一例を示す図である。
【図６】本発明の一実施形態における据置型のネットワーク試験装置の試験信号設定画面の一例を示す図である。
【図７】本発明の一実施形態における据置型のネットワーク試験装置において、追加情報表示領域に複数のアイコンが表示された例を示す図である。
【図８】本発明の一実施形態における据置型のネットワーク試験装置の試験条件設定画面の一例を示す図である。
【図９】本発明の一実施形態における据置型のネットワーク試験装置の試験結果表示画面の一例を示す図である。
【図１０】本発明の一実施形態における携帯型のネットワーク試験装置のブロック構成図である。
【図１１】本発明の一実施形態における携帯型のネットワーク試験装置の画面解像度の説明図である。
【図１２】本発明の一実施形態における携帯型のネットワーク試験装置の試験信号設定画面の一例を示す図である。
【図１３】本発明の一実施形態におけるフローチャートである。
【発明を実施するための形態】
【００２０】
以下、本発明の一実施形態について図面を用いて説明する。なお、本発明に係る試験装置を、ルータやスイッチングハブ、伝送装置等のネットワーク機器を試験対象とする据置型及び携帯型のネットワーク試験装置に適用した例を挙げて説明する。
【００２１】
[外観形状]
図１は、据置型のネットワーク試験装置１の外観形状を模式的に示している。図示のように、据置型のネットワーク試験装置１は、各種ボタンやコネクタ等が配置された前面パネル１ａと、タッチパネル１０と、を備えている。タッチパネル１０は、例えばＳＶＧＡ（Super Video Graphics Array）サイズ（水平画素数×垂直画素数＝８００×６００画素）の画面解像度（第２の解像度）が設定可能な表示部１２（後述）を備えている。
【００２２】
図２は、携帯型のネットワーク試験装置２の外観形状を模式的に示している。図示のように、携帯型のネットワーク試験装置２は、試験者が持ちやすいよう横長に形成された筐体２ａと、この筐体２ａの形状に合わせた横長のタッチパネル６０と、を備えている。タッチパネル６０は、例えばＷＶＧＡ（Wide Video Graphics Array）サイズ（水平画素数×垂直画素数＝８００×４８０画素）の画面解像度（第１の解像度）が設定可能な表示部６１（後述）を備えている。
【００２３】
[据置型のネットワーク試験装置の構成]
次に、本実施形態における据置型のネットワーク試験装置１の構成について説明する。
【００２４】
図３に示すように、本実施形態における据置型のネットワーク試験装置１は、試験対象機器７を試験するものであって、製品種別記憶部３、製品種別判定部４、タッチパネル１０、表示操作制御装置２０、試験制御装置３０を備えている。なお、試験対象機器７は、電子機器を構成する。
【００２５】
据置型のネットワーク試験装置１は、図示しないＣＰＵ（Central Processing Unit）と、ＲＯＭ（Read Only Memory）と、ＲＡＭ（Random Access Memory）と、各種インタフェースが接続される入出力回路等を備えたマイクロコンピュータを含む。据置型のネットワーク試験装置１は、ＲＯＭに予め格納された制御プログラムを実行させることにより、マイクロコンピュータを、製品種別記憶部３、製品種別判定部４、タッチパネル１０、表示操作制御装置２０、試験制御装置３０の機能部として機能させるようになっている。
【００２６】
製品種別記憶部３は、自己の製品種別を示す製品種別情報（据置型情報又は携帯型情報）を記憶するようになっている。ここでは、製品種別記憶部３は、自己の製品種別が据置型であることを示す据置型情報３ａを記憶している。
【００２７】
製品種別判定部４は、製品種別記憶部３が記憶している製品種別情報に基づいて、自己の製品種別が据置型及び携帯型のいずれであるかを判定するようになっている。前述のように、製品種別記憶部３が据置型情報３ａを記憶しているので、製品種別判定部４は、自己の製品種別が据置型であると判定する。判定結果を示すデータは、製品種別判定部４から表示操作制御装置２０に出力される。なお、製品種別判定部４は、製品種別判定手段を構成する。
【００２８】
タッチパネル１０は、試験者のタッチ操作に応じて操作信号を出力する操作入力手段としての操作部１１と、この操作部１１に重ねて配置され、液晶ディスプレイからなる表示手段としての表示部１２と、を備えている。
【００２９】
操作部１１は、試験者のタッチ操作を検出すると操作位置を示す操作信号を表示操作制御装置２０に出力するようになっている。
【００３０】
表示部１２は、表示操作制御装置２０からの表示制御信号に基づいて、例えばＳＶＧＡ規格の画面を表示するようになっている。
【００３１】
表示操作制御装置２０は、タッチパネル１０に対して所定の表示画面を表示する制御やタッチ操作に関する制御を実行するものであって、画面解像度設定部２１、測定情報表示画面制御部２２、追加情報表示画面制御部２３、アプリケーション選択画面制御部２４、試験信号設定画面制御部２５、試験条件設定画面制御部２６、試験結果表示画面制御部２７を備えている。この表示操作制御装置２０は、設定情報記憶部２８及び試験結果情報記憶部２９に接続されている。
【００３２】
画面解像度設定部２１は、製品種別判定部４の判定結果に基づいて、表示部１２の画面の解像度を設定するようになっている。図４を用いて具体的に説明する。なお、画面解像度設定部２１は、解像度設定手段を構成する。
【００３３】
図４は、製品種別判定部４が自己の製品種別を据置型と判定した場合に、画面解像度設定部２１が、表示部１２の画面１２ａに設定する解像度の一例を示している。すなわち、画面解像度設定部２１は、水平方向（横方向）の解像度を８００画素、垂直方向（縦方向）の解像度を６００画素に設定する。この場合、画面１２ａは、少なくとも測定項目及び測定条件を含む測定情報を表示する測定情報表示領域１２ｂと、測定情報に関連付けられた追加情報を表示する追加情報表示領域１２ｃと、を有する。測定情報表示領域１２ｂは、水平方向の解像度が８００画素、垂直方向の解像度が４８０画素である。追加情報表示領域１２ｃは、水平方向の解像度が８００画素、垂直方向の解像度が１２０画素である。
【００３４】
なお、図４に示した例では、測定情報表示領域１２ｂの下側に追加情報表示領域１２ｃを設けているが、測定情報表示領域１２ｂの上側に追加情報表示領域１２ｃを設ける構成としてもよい。
【００３５】
前述のように、製品種別判定部４は、自己の製品種別が据置型であると判定するので、画面解像度設定部２１は、図４に示した解像度で、表示部１２の画面１２ａの解像度を設定し、画面１２ａの表示領域を、測定情報を測定情報表示領域１２ｂと追加情報表示領域１２ｃとに分割する。
【００３６】
測定情報表示画面制御部２２は、測定情報を測定情報表示領域１２ｂに表示する表示制御信号を表示部１２に出力することによって表示制御を行うようになっている。
【００３７】
追加情報表示画面制御部２３は、測定情報に関連付けられた追加情報を追加情報表示領域１２ｃに表示する表示制御信号を表示部１２に出力することによって表示制御を行うようになっている。追加情報としては、例えば、所望の測定項目を試験するための、起動中のアプリケーションソフトウェア（以下、単に「アプリケーション」という）を示すアイコンや、測定情報に関する説明文等である。
【００３８】
アプリケーション選択画面制御部２４は、複数のアプリケーションの中から試験者に所望のアプリケーションを選択させるためのアプリケーション選択画面を表示する表示制御信号を表示部１２に出力することによって表示制御を行うようになっている。
【００３９】
試験信号設定画面制御部２５は、試験者が選択したアプリケーションを実行する試験において、試験対象機器７に出力する試験信号を設定するための試験信号設定画面を表示する表示制御信号を表示部１２に出力することによって表示制御を行うようになっている。
【００４０】
試験条件設定画面制御部２６は、試験者が選択したアプリケーションを実行する試験において、試験条件を設定するための試験条件設定画面を表示する表示制御信号を表示部１２に出力することによって表示制御を行うようになっている。
【００４１】
試験結果表示画面制御部２７は、試験者が選択したアプリケーションを実行する試験において、試験結果を表示するための試験結果表示画面を表示する表示制御信号を表示部１２に出力することによって表示制御を行うようになっている。
【００４２】
設定情報記憶部２８は、表示操作制御装置２０が有する各画面制御部が表示部１２に表示した各画面において試験者に設定、選択等をさせる情報、試験者がタッチパネル１０を操作して設定、選択等を行った情報、試験に関する情報を説明するためのヘルプ情報等を記憶するようになっている。
【００４３】
試験結果情報記憶部２９は、試験対象機器７に対して行った試験結果の情報を記憶するようになっている。
【００４４】
試験制御装置３０は、アプリケーション部３１、信号送信部３２、信号受信部３３、入出力部３４を備えている。
【００４５】
アプリケーション部３１は、試験対象機器７を試験するための複数のアプリケーションを有し、試験者が選択したアプリケーションを実行して所定の試験を行うようになっている。
【００４６】
信号送信部３２は、後述する試験信号設定画面５２において試験者が設定した情報に基づいて試験信号を生成し、入出力部３４を介し、試験対象機器７に送信するようになっている。
【００４７】
信号受信部３３は、入出力部３４を介し、試験対象機器７が試験信号に対応して送信した信号を受信し、所定の処理を行ってアプリケーション部３１に出力するようになっている。
【００４８】
信号送信部３２及び信号受信部３３は、例えば、イーサネット（登録商標）などの通信規格に基づいて試験対象機器７に対してフレームデータを送受信するようになっている。フレームデータは、所定数のパケットに分割される。各パケットは、宛先や送信元に関する情報を含むヘッダと、試験情報を含むペイロードとを有する。
【００４９】
入出力部３４は、例えば６つのポートＰ１〜Ｐ６を有している。図３に示した例では、入出力部３４は、ポートＰ３を介して試験対象機器７に接続されている。
【００５０】
次に、据置型のネットワーク試験装置１の表示操作制御装置２０が有する各画面制御部が表示部１２に表示する各画面を、以下に具体例を挙げて説明する。
【００５１】
［アプリケーション選択画面］
図５は、アプリケーション選択画面制御部２４が測定情報表示領域１２ｂに表示するアプリケーション選択画面５１の一例を示している。この例では、３つの規格についての測定項目ＢＥＲ（Bit Error Rate：ビット誤り率）を試験するためのアプリケーションが表示されている。例えば、試験者がＥｔｈｅｒｎｅｔ（登録商標）の文字が含まれる表示領域の「ＢＥＲ」部分を指先でタッチすることにより、Ｅｔｈｅｒｎｅｔ規格でのＢＥＲを試験するためのアプリケーションが選択される。なお、Ｅｔｈｅｒｎｅｔ規格では、測定項目パススルー（Pass Through）の試験も選択できるようになっている。以下、Ｅｔｈｅｒｎｅｔ規格でのＢＥＲの試験を行うアプリケーションが選択されたものとして説明する。
【００５２】
また、アプリケーション選択画面５１には、試験実行ボタン５１１、ヘルプボタン５１２が表示されている。試験実行ボタン５１１がタッチされると、アプリケーション部３１が、試験者が選択したアプリケーションを実行する。ヘルプボタン５１２がタッチされると、ネットワーク機器の試験に関する情報を説明するためのヘルプ情報が測定情報表示領域１２ｂに表示される。なお、図５に示した例では追加情報表示領域１２ｃに何も表示していないが、例えば、追加情報表示画面制御部２３が、アプリケーションの選択に関する説明文を追加情報表示領域１２ｃに表示する構成としてもよい。
【００５３】
［試験信号設定画面］
図６は、Ｅｔｈｅｒｎｅｔ規格でのＢＥＲの試験を行うアプリケーション（以下、単に「Ｅ＿ＢＥＲアプリ」という）が選択された場合、試験信号設定画面制御部２５が測定情報表示領域１２ｂに表示する試験信号設定画面５２の一例を示している。この試験信号設定画面２５は、測定条件を設定するための画面の１つである。
【００５４】
図６に示した例では、ＢＥＲ測定において、ビットレートを４０Ｇｂｐｓ、測定パターンをＰＲＢＳ（Pseudo Random Bit Sequence:疑似ランダムパターン）の７ビット長に設定した画面を示している。ビットレート及び測定パターンは、それぞれ、プルダウンメニューボタン５２１及び５２２で設定が行えるようになっている。
【００５５】
また、追加情報表示領域１２ｃには、Ｅ＿ＢＥＲアプリが起動されたことを示すアイコン５３がアクティブ状態で表示されている。このアイコン５３は追加情報表示画面制御部２３によって表示されたものであり、アイコン５３には「Ｅｔｈｅｒ  ＢＥＲ」という文字が記載されている。そのため、試験者は、Ｅ＿ＢＥＲアプリが起動されていることを容易に知ることができる。
【００５６】
さらに、アイコン５３には、Ｅ＿ＢＥＲアプリの実行処理の進捗度を示す進捗度表示部５３ａが表示されている。この進捗度表示部５３ａは、横棒グラフの形状でパーセント表示によりＥ＿ＢＥＲアプリの実行処理の進捗度を示すようになっている。そのため、試験者は、試験実行ボタン５１１をタッチして試験を開始した後、進捗度表示部５３ａによりＥ＿ＢＥＲアプリの実行処理の進捗度を容易に知ることができる。
【００５７】
図７は、追加情報表示画面制御部２３によって、追加情報表示領域１２ｃに複数のアイコンが表示された例を示している。この例では、図６で示したアイコン５３に加えて、ＯＴＮ（Optical Transport Network）規格でのＢＥＲを試験するためのアプリケーションも選択されており、そのアイコン５４が非アクティブ状態で表示されている。このアイコン５４は、実行処理の進捗度を示す進捗度表示部５４ａを有する。
【００５８】
図７に示した画面表示の状態で、試験者がアイコン５４をタッチすると、試験信号設定画面５２に代わって、ＯＴＮ規格でのＢＥＲを試験するための試験信号設定画面が測定情報表示領域１２ｂに表示される。
【００５９】
一般に、試験装置では、据置型の方が携帯型よりも高性能であり、ポート数が多く、また、一度に起動できるアプリケーション数も多いので、アプリケーションを切り替える頻度が高い。据置型のネットワーク試験装置１は、前述した構成を有するので、試験者は、アイコンによりアプリケーションを容易に切り替え可能になり、しかも、試験実行処理中の進捗度を把握することができる。
【００６０】
［試験条件設定画面］
図８は、試験条件設定画面制御部２６が測定情報表示領域１２ｂに表示する試験条件設定画面５５の一例を示している。この試験条件設定画面５５は、測定条件を設定するための画面の１つである。
【００６１】
図８に示した例では、ＢＥＲ測定において、試験結果を何秒おきに出すかを設定する時間長（Interval Length）を５秒に設定した画面を示している。この時間長は、プルダウンメニューボタン５５１で設定が行えるようになっている。
【００６２】
［試験結果表示画面］
図９は、試験結果表示画面制御部２７が測定情報表示領域１２ｂに表示する試験結果表示画面５６の一例を示している。この例では、ＢＥＲ測定において、ビットエラーが"３"であったことを表示窓５６１により示している。これは、５秒間（図８参照）で３ビットのエラーが発生したことを示す。
【００６３】
なお、アプリケーション選択画面５１、試験信号設定画面５２、試験条件設定画面５５及び試験結果表示画面５６が測定情報に対応し、これらはそれぞれ、図５、図６、図８、図９に示すように、測定情報表示領域１２ｂに表示されている。
【００６４】
[携帯型のネットワーク試験装置の構成]
次に、本実施形態における携帯型のネットワーク試験装置２の構成について説明する。
【００６５】
図１０に示すように、本実施形態における携帯型のネットワーク試験装置２は、前述の据置型のネットワーク試験装置１（図３参照）に対して一部の構成を変更したものである。したがって、据置型のネットワーク試験装置１と同様な構成には同一の符号を付し、その説明を省略する。
【００６６】
携帯型のネットワーク試験装置２は、タッチパネル６０、表示操作制御装置７０、試験制御装置８０を備えている。また、携帯型のネットワーク試験装置２は、製品種別記憶部３が、自己の製品種別が携帯型であることを示す携帯型情報３ｂを記憶している。
【００６７】
タッチパネル６０は、操作部１１に重ねて配置され、液晶ディスプレイからなる表示手段としての表示部６１を備えている。図１１に示すように、表示部６１は、画面６１ａを有する。
【００６８】
図１１は、製品種別判定部４が自己の製品種別を携帯型と判定した場合に、画面解像度設定部２１が、表示部１２の画面６１ａに設定する解像度の一例を示している。すなわち、画面解像度設定部２１は、水平方向の解像度を８００画素、垂直方向の解像度を４８０画素に設定する。この場合、画面６１ａは、水平方向の解像度が８００画素で垂直方向の解像度が４８０画素の測定情報表示領域６１ｂを有する。
【００６９】
表示操作制御装置７０は、追加情報表示画面制御部７１を備えている。追加情報表示画面制御部７１は、追加情報表示領域（図４参照）を非表示に設定し、例えば、測定情報表示領域６１ｂに表示された測定情報の表示画面に重ねてウィンドウを表示し、測定情報に関連付けられた追加情報をウィンドウ内に表示するようになっている。
【００７０】
試験制御装置８０は、入出力部８１を備えている。入出力部８１は、例えば１つのポートＰ０を有し、このポートＰ０を介して試験対象機器７に接続されている。
【００７１】
一般に、携帯型のネットワーク試験装置２は、据置型のネットワーク試験装置１（図３参照）と比較してポート数が少なく、試験機能も限定されているので、追加情報を表示する頻度は少ない。そのため、携帯型のネットワーク試験装置２では、据置型のネットワーク試験装置１とは異なり、追加情報表示領域（図４参照）を省略し、例えば、測定情報表示領域６１ｂに表示された測定情報の表示画面に重ねてウィンドウを表示し、そのウィンドウ内に追加情報を表示することができる。
【００７２】
携帯型のネットワーク試験装置２において、表示部６１の画面６１ａには、例えば試験信号設定画面５２が、図１２に示すように、測定情報表示領域６１ｂに表示される。なお、説明は省略するが、測定情報表示領域６１ｂには、試験信号設定画面５２と同様に、アプリケーション選択画面５１（図５参照）、試験条件設定画面５５（図８参照）、試験結果表示画面５６（図９参照）等が表示される。
【００７３】
携帯型のネットワーク試験装置２において測定情報表示領域６１ｂに表示された試験信号設定画面５２（図１２参照）と、据置型のネットワーク試験装置１において測定情報表示領域１２ｂに表示された試験信号設定画面５２（図６参照）とは同一であり、試験者は携帯型、据置型にかかわらず同一の画面操作で試験信号を設定することができる。
【００７４】
したがって、本発明に係る試験装置は、据置型のネットワーク試験装置１と携帯型のネットワーク試験装置２とで操作性の共通化を図ることができる。
【００７５】
[ネットワーク試験装置の動作]
次に、本実施形態における据置型のネットワーク試験装置１、携帯型のネットワーク試験装置２の動作について図１３に基づき説明する。
【００７６】
製品種別判定部４は、製品種別記憶部３から製品種別情報を読み出し（ステップＳ１１）、読み出した製品種別情報に基づいて自己の製品種別が据置型及び携帯型のいずれであるかを判定する（ステップＳ１２）。
【００７７】
ステップ１２において、製品種別判定部４は、製品種別記憶部３が据置型情報３ａを記憶している場合は、自己の製品種別が据置型であると判定する。製品種別判定部４が判定した情報は、製品種別判定部４から表示操作制御装置２０に送出される。
【００７８】
表示操作制御装置２０の画面解像度設定部２１は、製品種別判定部４が自己の製品種別を据置型と判定した場合は、表示部１２の解像度をＳＶＧＡ（８００×６００画素）に設定する（ステップＳ１３）。
【００７９】
測定情報表示画面制御部２２は、測定情報表示領域１２ｂ（図４参照）を表示部１２の画面１２ａ内に表示する（ステップＳ１４）。
【００８０】
追加情報表示画面制御部２３は、追加情報表示領域１２ｃ（図４参照）を表示部１２の画面１２ａ内に表示する（ステップＳ１５）。
【００８１】
一方、ステップＳ１２において、製品種別判定部４は、製品種別記憶部３が携帯型情報３ｂを記憶している場合は、自己の製品種別が携帯型であると判定する。製品種別判定部４が判定した情報は、製品種別判定部４から表示操作制御装置２０に送出される。
【００８２】
表示操作制御装置２０の画面解像度設定部２１は、製品種別判定部４が自己の製品種別を携帯型と判定した場合は、表示部６１の解像度をＷＶＧＡ（８００×４８０画素）に設定する（ステップＳ１６）。
【００８３】
測定情報表示画面制御部２２は、測定情報表示領域６１ｂ（図１１参照）を表示部６１の画面６１ａ内に表示する（ステップＳ１７）。
【００８４】
追加情報表示画面制御部２３は、追加情報表示領域を非表示に設定する（ステップＳ１８）。
【００８５】
ステップＳ１５又はステップＳ１８の後、操作部１１を試験者が操作することにより、測定情報が入力される（ステップＳ１９）。
【００８６】
そして、入力された測定情報に基づいて、所望のアプリケーションが起動されて試験が実行され（ステップＳ２０）、試験の結果が表示部１２又は６１に表示される（ステップＳ２１）。なお、据置型のネットワーク試験装置１の場合は、アプリケーションが起動されると、そのアプリケーションのアイコンが追加情報表示画面制御部２３によって追加情報表示領域１２ｃに表示される（図６参照）。
【００８７】
図１３において、破線で囲ったステップＳ１１〜Ｓ１８は、据置型のネットワーク試験装置１と、携帯型のネットワーク試験装置２とで共通化が図れるステップである。したがって、本発明に係る試験装置は、据置型と携帯型とで共通のソフトウェアを使用することができ、開発期間の短縮化を図ることができる。
【００８８】
以上のように、本実施形態における据置型のネットワーク試験装置１は、測定情報を表示する測定情報表示領域１２ｂと、測定情報に関連付けられた追加情報を表示する追加情報表示領域１２ｃと、を有する。一方、本実施形態における携帯型のネットワーク試験装置２は、測定情報を表示する測定情報表示領域６１ｂを有する。ここで、測定情報表示領域１２ｂ及び６１ｂは、同様な表示形態で測定情報を表示することができる。その結果、試験者は据置型及び携帯型のいずれであっても同様な操作で測定情報の操作入力を行うことができる。
【００８９】
したがって、本発明に係る試験装置は、据置型と携帯型とで操作性の共通化を図ることができる。その結果、本発明に係る試験装置は、試験装置に対する利用者の操作学習時間を短縮することができる。
【００９０】
なお、前述の実施形態において、試験対象としてネットワーク試験装置を例に挙げて説明したが、本発明はこれに限定されない。例えば、信号を発生する据置型の信号発生器において、例えば変調方式を切り替える切替スイッチのアイコンを追加情報表示領域に表示する構成としても同様の効果が得られる。
【産業上の利用可能性】
【００９１】
以上のように、本発明に係る試験装置及び試験方法は、据置型と携帯型とで操作性の共通化を図ることができるという効果を有し、電子機器を試験する試験装置及び試験方法として有用である。
【符号の説明】
【００９２】
１、２  ネットワーク試験装置（試験装置）
３  製品種別記憶部
３ａ  据置型情報
３ｂ  携帯型情報
４  製品種別判定部（製品種別判定手段）
７  試験対象機器（電子機器）
１０、６０  タッチパネル
１１  操作部（操作入力手段）
１２、６１  表示部（表示手段）
１２ｂ、６１ｂ  測定情報表示領域
１２ｃ  追加情報表示領域
２０、７０  表示操作制御装置
２１  画面解像度設定部（解像度設定手段）
２２  測定情報表示画面制御部
２３、７１  追加情報表示画面制御部
２４  アプリケーション選択画面制御部
５１  アプリケーション選択画面
５３、５４  アイコン
５３ａ、５４ａ  進捗度表示部
８０  試験制御装置
【図１】
0005956515.tif 000002
【図２】
0005956515.tif 000003
【図３】
0005956515.tif 000004
【図４】
0005956515.tif 000005
【図５】
0005956515.tif 000006
【図６】
0005956515.tif 000007
【図７】
0005956515.tif 000008
【図８】
0005956515.tif 000009
【図９】
0005956515.tif 000010
【図１０】
0005956515.tif 000011
【図１１】
0005956515.tif 000012
【図１２】
0005956515.tif 000013
【図１３】
0005956515.tif 000014